(57)【要約】  食品識別が行われる第１および第２のプレートを有しているクッキング装置。位置決め機構が第２のプレートを第１のプレートの方に動かす。検出器が第１のプレート上に配置されている食品と第２のプレートが接触したことを検出しかつ信号を供給する。コントローラはこの信号を使用して、第２のプレートの移動距離を測定する。食品の厚さは移動距離の関数である。これは当該食品に対する調理過程を選択するために使用される。それからコントローラは選択された調理過程を実行し、食品が調理されるようにする。検出器はマイクロスイッチ、近接センサ、タッチセンサ、歪みセンサ、熱センサ、光学式センサ、ソナーセンサまたは負荷変化の位置決めセンサを含んでいることができる。
2008541988.tif 000002
【特許請求の範囲】
【請求項１】
第１のプレートおよび第２のプレートと、
前記第２のプレートを前記第１のプレートの方向に動かすおよび／または第２のプレートを第１のプレートから離れる方向に動かす位置決め機構と、
前記第２のプレートの動きに対する障害物の検出に応答して信号を供給するように配置されている検出器と、
前記位置決め機構を制御して、（ａ）前記第２のプレートを前記第１のプレートの方向に動かしかつ（ｂ）前記信号に応答して前記第２のプレートを停止させるコントローラと
を有しているクッキング装置。
【請求項２】
前記障害物は前記第１のプレートでありかつ前記信号は前記第２のプレートが該第１のプレートに接触したときに供給される
請求項１記載のクッキング装置。
【請求項３】
前記コントローラは予熱モードにおいて更にヒータを制御して前記第１のプレートの少なくとも１つのゾーンおよび前記第２のプレートに熱エネルギーが供給されるようにする
請求項２記載のクッキング装置。
【請求項４】
前記コントローラはそれぞれの予熱モードにおいて、前記第１のプレートの前記ゾーンが第１のプリセットされた温度に達しかつ前記第２のプレートが第２のプリセットされた温度に達するまで、前記位置決め機構を制御して、前記第２のプレートが前記第１のプレートに接触された状態にとどまるようにする
請求項３記載のクッキング装置。
【請求項５】
前記コントローラは前記第２のプレートが前記位置決め機構によって停止されたときに達した該第２のプレートのポジションを参照ポジションとして記録し、かつ
前記コントローラは続く調理サイクルの期間に該記録された参照ポジションを使用して、前記第１のプレート上に配置されている食品の厚さが認識されるようにする
請求項３記載のクッキング装置。
【請求項６】
前記障害物が前記第２のプレートの非クッキングポジションとクッキングポジションとの間に検出される物体であり、
前記コントローラは更に前記信号に応答して前記位置決め機構を制御することによって前記第２のプレートが前記第１のプレートから離れる方向に動かされるようにする
請求項１記載のクッキング装置。
【請求項７】
前記第２のプレートは非クッキングポジションに動かされる
請求項６記載のクッキング装置。
【請求項８】
更に、前記第１のプレートの１つまたは複数のロケーションに１つまたは複数の温度を検出するように配置されている１つまたは複数の温度センサを有しており、
前記障害物は前記第１のプレートに配置された食品であり、
前記コントローラは調理サイクルにおいて前記検出された温度を使用して、前記第１のプレート上の食品の量が評価されかつ該食品の量に基づいて前記調理サイクルの調理時間が補償されるようにする
請求項１記載のクッキング装置。
【請求項９】
前記コントローラは前記温度の低下を評価することによって前記負荷感度を突き止めかつ前記温度低下および温度回復速度に基づいて前記調理時間を補償する
請求項８記載のクッキング装置。
【請求項１０】
更に、前記第１のプレートの１つまたは複数のロケーションに１つまたは複数の温度を検出するように配置されている１つまたは複数の温度センサ、前記第１のプレートの表面上の前記ロケーションに手動で配置可能でありかつ前記コントローラに移動可能に回路接続されている温度プローブを有しており、
前記コントローラは温度から受信された温度プローブ信号に基づいて前記第１のプレートの温度を較正する
請求項１記載のクッキング装置。
【請求項１１】
前記表面上の前記ロケーションは目で見えるマークを着けている
請求項１０記載のクッキング装置。
【請求項１２】
第１および第２のプレートを有しているクラムグリルを制御するための方法において、該方法は
前記第２のプレートを前記第１のプレートの方向に動かし、
前記第２のプレートの動きに対して障害物を検出すると信号を生成し、かつ
前記信号に応答して前記第２のプレートを停止する
ステップを有している方法。
【請求項１３】
前記障害物は前記第１のプレートであり前記信号は前記第２のプレートが前記第１のプレートと接触するときに供給される
請求項１２記載の方法。
【請求項１４】
更に、予熱モードにおいてヒーターを制御して熱エネルギーが前記第１のプレートの少なくとも１つのゾーンおよび前記第２のプレートに供給されるようにするステップを有している
請求項１３記載の方法。
【請求項１５】
更に、前記第１のプレートの前記ゾーンが第１のプリセット温度に達しかつ前記第２のプレートが第２のプリセット温度に達するまで、前記第２のプレートが前記第１のプレートに接触された状態を維持するステップを有している
請求項１４記載の方法。
【請求項１６】
更に、それぞれの予熱モードの期間に、前記第２のプレートが停止したときに達した該第２のプレートのポジションを参照ポジションとして記録し、かつ
続く調理サイクルの期間に前記記録された参照ポジションを使用して、前記第１のプレートに配置された食品の厚さが認識されるようにする
ステップを有している
請求項１４記載の方法。
【請求項１７】
前記障害物は前記第２のプレートの非クッキングポジションとクッキングポジションとの間に検出される妨害物であり、
かつ更に、前記第２のプレートが前記信号に応答して前記第１のプレートから離れる方向に動かされるようにするステップを有している
請求項１２記載の方法。
【請求項１８】
前記第２のプレートは非クッキングポジションに動かされる
請求項１７記載の方法。
【請求項１９】
更に、前記第１のプレートの１つまたは複数のロケーションにおける１つまたは複数の温度を検出するステップを有しており、前記障害物は前記第１のプレート上に配置されている食品であり、
前記検出された温度を使用して、前記第１のプレート上の食品の量が評価されかつ該食品の量に基づいて前記調理サイクルの調理時間が補償されるようにする
ステップを有している
請求項１２記載の方法。
【請求項２０】
更に、前記温度の低下を評価することによって前記負荷感度を突き止めかつ前記温度低下および温度回復速度に基づいて前記調理時間を補償するステップを有している
請求項１９記載の方法。
【請求項２１】
更に、前記第１のプレートの１つまたは複数のロケーションにおける１つまたは複数の温度を検出し、
前記第１のプレートの表面上の前記ロケーションに温度プローブを手動で配置し、かつ
前記温度プローブから受信された温度プローブ信号に基づいて前記第１のプレートの表面温度を較正する
ステップを有している
請求項１２記載の方法。
【請求項２２】
前記表面上の前記ロケーションは目に見えるマークを着けている
請求項２１記載の方法。
【発明の詳細な説明】
【技術分野】
【０００１】
本発明はクッキング装置および、２つのプレートの相対運動が自動的に制御される方法に関する。
【０００２】
発明の背景
２つの表面を含んでいるクッキング装置は一般に、食品の反対の側に接触することによって調理する。この形式のクッキング装置は多様なスタイルの調理器具において使用されている。例えば、クラムグリルはローアープレートと、該ローアープレートに向かっておよびローアープレートから離れる方向に運動可能であるアッパープレートを使用している。クラムグリルの例はＵＳ特許６０７９３２１号およびそこに参照されている（References Cited）ＵＳ特許文献３２９９４号に記載されている。別のスタイルは、１つの表面がプレートでかつ別の表面がコンベアベルトであるトースターである。コンベアベルトおよびプレートは水平方向、垂直方向であってよいが、その間の角度にあってもよい。トースターの例はＵＳ特許６２０１２１８号および６２８１４７８号に記載されている。
【０００３】
これら公知のクッキング装置は一般に運動機構を含んでいる。それは手動でか自動的でか１つのプレートを別のプレートの方向に動かして食品の反対側がプレートに接触するようにするものである。例えば、ＵＳ特許６０７９３２１号に記載されているクラムグリルはパラメータのセットに基づいて運動を自動的に制御する。ここでパラメータのセットは各種タイプの食品に対するコントローラに入力されているものである。これらパラメータのセットはプリセットされたギャップ距離を含んでいる。これは種々の厚さの食品を考慮した上での２つのプレート間の調理距離である。これらギャップ距離は予め定めたギャップ距離を手動で入力することによりセットされ、こうしてグリル制御がセッティングされかつ該セッティングが調理時間と一緒にユーザインタフェースコントロール上のギャップボタンに割り当てられることになる。ギャップ距離および調理時間というこれらクッキングパラメータのこのセットはグリル表面に食品を置く前に予め選択されなければならない。
【０００４】
クラムグリル操作員は調理される食品のタイプを入力して、コントローラが該食品に対してセットされたパラメータを使用するようにしなければならない。オペレータが誤って間違ったタイプを入力すると、アッパープレートが食品に接触しないかまたは食品に圧力をかけすぎてしまうことが起こり得る。セットされたパラメータは食品タイプの調理時間も含んでいるので、食品が調理不十分だったり調理されすぎたりすることになる。従って人間が、プリセットされるギャップ距離の入力並びに調理される食品のタイプの選択を誤る可能性がある。
【０００５】
ユーザエラーが回避される仕方で２つのプレートの相対運動を自動的に制御するクッキング装置に対する必要性がある。
【０００６】
発明の概要
本発明のクッキング装置は、第１のプレートおよび第２のプレートと、第２のプレートを第１のプレートの方向に動かすおよび／または第２のプレートを第１のプレートから離れる方向に動かす位置決め機構とを有している。検出器が、第２のプレートの動きに対する障害物の検出に応答して信号を供給するように配置されている。コントローラは、位置決め機構を制御して、（ａ）第２のプレートを第１のプレートの方向に動かしかつ（ｂ）前記信号に応答して第２のプレートが停止されるようにする。
【０００７】
本発明の１つの実施形態において、障害物は第１のプレートでありかつ前記信号は第２のプレートが該第１のプレートに接触したときに供給される。
【０００８】
本発明の別の実施形態において、コントローラは予熱モードにおいて更にヒータを制御して第１のプレートの少なくとも１つのゾーンおよび第２のプレートに熱エネルギーが供給されるようにする。
【０００９】
本発明の別の実施形態において、コントローラは、第１のプレートの前記ゾーンが第１のプリセットされた温度に達しかつ第２のプレートが第２のプリセットされた温度に達するまで、位置決め機構を制御して、第２のプレートが第１のプレートに接触された状態にとどまるようにする。
【００１０】
本発明の別の実施形態において、コントローラは第２のプレートが位置決め機構によって停止されたときに達した該第２のプレートのポジションを参照ポジションとして記録し、かつコントローラは続く調理サイクルの期間に該記録された参照ポジションを使用して、第１のプレート上に配置されている食品の厚さが認識されるようにする。
【００１１】
本発明の別の実施形態において、障害物は第２のプレートの非クッキングポジションとクッキングポジションとの間に検出される物体である。コントローラは更に前記信号に応答して位置決め機構を制御することによって第２のプレートが第１のプレートから離れて非クッキングポジションに動かされるようにする。
【００１２】
本発明の別の実施形態において、１つまたは複数の温度センサが第１のプレートの１つまたは複数のロケーションに１つまたは複数の温度を検出するように配置されている。障害物は第１のプレートに配置された食品である。コントローラは調理サイクルにおいて検出された温度を使用して、第１のプレート上の食品の量が評価されかつ該食品の量に基づいて調理サイクルの調理時間が補償されるようにする。
【００１３】
本発明の別の実施形態において、コントローラは温度の低下を評価することによって負荷感度を突き止めかつ温度低下および温度回復速度に基づいて調理時間を補償する。
【００１４】
本発明の別の実施形態において、温度プローブが第１のプレートの表面上のロケーションに手動で配置可能でありかつ該温度プローブはコントローラと移動可能に回路接続されており、ここでコントローラは手動で配置された表面温度プローブから受信された温度プローブ信号に基づいて第１のプレートの表面温度を較正する。表面上のロケーションは目で見えるマークを着けている。
【００１５】
本発明の方法は、第２のプレートを第１のプレートの方向に動かし、第２のプレートの動きに対して障害物を検出すると信号を生成し、かつ該信号に応答して第２のプレートを停止することによって、第１および第２のプレートを有しているクラムグリルを制御する。
【００１６】
本発明の方法の別の実施形態において、障害物は前記第１のプレートでありかつ前記信号は、第２のプレートが第１のプレートと接触するときに供給される。
【００１７】
本発明の別の実施形態において、予熱モードにおいてヒーターを制御して熱エネルギーが第１のプレートの少なくとも１つのゾーンおよび第２のプレートに供給されるようにする。
【００１８】
本発明の方法の別の実施形態において、第１のプレートの前記ゾーンが第１のプリセット温度に達しかつ第２のプレートが第２のプリセット温度に達するまで、第２のプレートは第１のプレートに接触された状態を維持される。
【００１９】
本発明の方法の別の実施形態において、本発明の方法は、それぞれの予熱モードの期間に、第２のプレートが参照ポジションとして停止したときに該第２のプレートのポジションを記録し、かつ続く調理サイクルの期間に前記記録された参照ポジションを使用して、第１のプレートに配置された食品の厚さが認識されるようにする更なるステップを有している。
【００２０】
本発明の方法の別の実施形態において、障害物は第２のプレートの非クッキングポジションとクッキングポジションとの間に検出される妨害物である。第２のプレートはそれから、前記信号に応答して第１のプレートから離れる方向に動かされる。
【００２１】
本発明の方法の別の実施形態において、第２のプレートは非クッキングポジションに動かされる。
【００２２】
本発明の方法の別の実施形態において、本発明の方法は更に、第１のプレートの１つまたは複数のロケーションにおける１つまたは複数の温度を検出するステップを有している。障害物が第１のプレート上に配置されている食品であるならば、本発明の方法は、前記検出された温度を使用して、第１のプレート上の食品の量が評価されかつ該食品の量に基づいて前記調理サイクルの調理時間が補償されるようにする。
【００２３】
本発明の方法の別の実施形態において、本発明の方法は更に、前記温度の低下を評価することによって前記負荷感度を突き止めかつ前記温度低下および温度回復速度に基づいて前記調理時間を補償するステップを有している。
【００２４】
本発明の方法の別の実施形態において、本発明の方法は更に、第１のプレートの１つまたは複数のロケーションにおける１つまたは複数の温度を検出し、第１のプレートの表面上のロケーションに温度プローブを手動で配置し、かつ該温度プローブから受信された温度プローブ信号に基づいて第１のプレートの表面温度を較正するステップを有している。
【００２５】
本発明の方法の別の実施形態において、表面上のロケーションは目に見えるマークを着けている。
【００２６】
図面の簡単な説明
本発明の別のおよびその他の対象、利点および特徴を、添付図を参照した以下の詳細な実施例の説明において明らかにするが、図中、対応する構成要素には対応する参照符号が付されている。その際：
図１は本発明の２表面型クッキング装置の１つの実施例を斜視にて示し、
図２は図１の２表面型クッキング装置を側面から示し、
図３は図１の２表面型クッキング装置を背面から示し、
図４は図１の２表面型クッキング装置のアッパープレートアッセンブリを上面から見、
図５は図４のライン５−５に沿って切断した断面を示し、
図６は図５の部分Ｂの詳細を示し、
図７は本発明の２表面型クッキング装置の検出器の択一的な実施例をブロック線図にて示し、
図８は検出器の別の実施例を表している、図１の２表面型クッキング装置の部分を側面から示し、
図９は検出器のさらに別の実施例を表している、図１の２表面型クッキング装置の部分を側面から示し、
図１０は検出器のさらにまた別の実施例を表している、図１の２表面型クッキング装置の部分を側面から示し、
図１１は検出器のさらにまた別の実施例を表している、図１の２表面型クッキング装置の部分を側面から示し、
図１２は図１のクッキング装置のコントローラの有利な実施例をブロック線図にて示し、
図１３は図１２のコントローラの食品識別プログラムをフローチャートにて示し、
図１４は図１のクッキング装置により使用することができるプログラムの別の実施例をフローチャートにて示し、
図１５は図１のクッキング装置により使用することができるセイフティプログラムをフローチャートにて示し、
図１６は図１のクッキング装置のためにセットアップされたオート式較正を説明し、かつ
図１７は図１のクッキング装置を用いて使用することができる負荷感度プログラムをフローチャートにて示している。
【００２７】
有利な実施例の説明
本発明は種々のスタイルの２表面型クッキング装置、例えば２面接触式トースティング、クラムグリルおよび類似のものに使用することができるものである。しかし、分かり易くするために例を挙げるものとしてここでは、本発明をクラムグリル実施例について説明するものとする。
【００２８】
図１〜図３を参照するに、本発明の２表面型クッキング装置は支持構造２２を有し、ここにローアー（第１の）クッキングプレート２４が水平方向にマウントされている。ローアープレート２４はその上側に扁平な調理表面２６を有している。ローアープレート２４は、加熱エレメント２８または等価のガスバーナーを介したガスまたは電気的な手段によりクッキング温度に加熱される。
【００２９】
プレートアッセンブリ３０およびプレートアッセンブリ３１は、位置決め機構４０および位置決め機構４１によってそれぞれ、支持機構２２の近傍に移動可能にマウントされている。プレートアッセンブリ３０およびプレートアッセンブリ３１は実質的に同一であるので、プレートアッセンブリ３０についてのみ詳細に説明する。プレートアッセンブリ３０は上側の（第２の）クッキングプレート３２を有している。これは表面３４を有している。有利には、表面３４は、ケーシング３６内にマウントされている加熱エレメント（図示なし）によってクッキング温度まで加熱される。アッパープレート３２はローアークッキングプレート２４より小さいかまたは同じサイズである。ハンドル３８がプレートアッセンブリ３０を手動操作するためにその前面にマウントされている。クッキング装置２０は１つまたは複数のアッパープレートアッセンブリを有していてよい。２つのアッパープレートアッセンブリが示されているが、別の実施例で１つだけまたは２つとは異なった数のアッパープレートを有していてもよい。有利な実施例において、２つまたはそれ以上の別個のアッパープレートアッセンブリはシングルローアープレートにマウントされており、調理およびオペレータに対して一層大きなフレキシビリティが可能になる。ローアープレート２４はシングルローとして示されているが、択一的な実施例においてそれは２つまたはそれ以上のプレートであってよい。
【００３０】
クッキング装置２０は更にコントローラ６２（図２に図示）を含んでいる。これはヒーター２８、モータコントローラ６４、ユーザインタフェース６８および１つまたは２つの操作ボタン６０と相互接続されている。コントローラ６２はクッキング装置２０の調理サイクルを制御しかつそうしながらモータコントローラ６４および位置決め機構４０を制御してプレートアッセンブリ３０が動くようにする。ユーザインタフェース６８はディスプレイおよび種々のユーザコントロールを含んでいる。操作ボタン６０はプレートアッセンブリ３０のユーザコントロールのためにクッキング装置の前面にさらされている。操作ボタン６１はプレートアッセンブリ３１のユーザコントロールのためにクッキング装置の前面にさらされている。
【００３１】
位置決め機構４０および位置決め機構４１は実質的に同一であり、位置決め機構４０についてだけ詳細に説明する。位置決め機構４０は最も高い位置または非クッキングポジション（図３参照）とクッキングポジションとの間でプレートアッセンブリ３０の２つの別個の運動を実現する。図１〜図３において、プレートアッセンブリ３０は非クッキングポジションにありかつプレートアッセンブリ３１はクッキングポジションにある。この実施例において、位置決め機構４０はリニヤ・アクチュエータ４２を含んでいる。これはアクチュエータクロスバー結合部４６を介して２つの垂直方向往復シャフト４４に連結されている。アクチュエータクロスバー結合部４６は垂直方向往復シャフト４４にクランプされている。シャフトは直線運動軸受４８を通って延びている。垂直方向往復シャフト４４はアームピポット／ストップヘッド５０に固定されている。片持梁５２はアームピポット／ストップヘッド５０を介して回転可能なピボット軸受５４を通っている。プレートアッセンブリ３０が一番高い回転位置にあるとき、リニヤ・アクチュエータ４２は最大位置まで延長されており、垂直方向往復シャフト４４およびアームピボット／ストップヘッド５０は上方向に、片側梁５２の後端部を回転可能な軸受５４に接触させる位置にまで上がっている。この位置において、プレートアッセンブリ３０は水平方向に対して約４５°ないし約６０°の範囲の予め定めた角度にある。
【００３２】
位置決め機構４０は更にドライブモータ５６および位置センサスイッチ５８（図３）を有している。ドライブモータ５６はモータコントローラ６４と相互接続されている。パルスエンコーダ６６はモータ５６に連結されておりかつ、モータ５６が駆動されているときコントローラ６２にパルストレインに供給する。位置スイッチ５８は往復シャフト４４にマウントされていて、位置情報をコントローラ６２に供給するようになっている。択一的な実施例において、位置スイッチ５８は省略されていることができる。
【００３３】
調理サイクルの前に、プレートアッセンブリ３０は非クッキングポジションにある。操作ボタン６０のユーザ操作に応答して、コントローラ６２は次のようにして調理サイクルを開始する：モータコントローラ６４を制御してモータ５６を駆動して位置決め機構４０によりプレートアッセンブリ３０が非クッキングポジションからクッキングポジションに運動する。例えば、プレートアッセンブリ３１はクッキングポジションにて示されている。
【００３４】
位置決め機構４０はプレートアッセンブリ３０が垂直方向と、回転可能な軸受５４および片持梁５２の後部間のコンタクトを維持する、プレートアッセンブリ３０の片持の重量によって引き起こされる弧を介してと両方に下げられるようにする。片持梁５２およびプレートアッセンブリ３０がローアープレート２４と平行になると、アームピボット／ストップヘッド５０のストップ位置が片持梁５２の回転運動をストップし、これによりこの位置からプレートアッセンブリ３０は垂直方向にだけ、ローアープレート２４の表面２６に向かって下方に運動することになる。アッパープレート３２が食品７２に接触すると、コントローラ６２は応答して該アッパープレート３２を初期クッキングポジションに持って行きかつ調理過程を開始する。調理過程が実施されている間、アッパープレート３２は調理過程の要求に基づいて運動されるようになっていてもよい。例えば、変更された食品厚さ（油分または水分の消失）のためまたは調理過程の間の種々の時間に食品に一層多いまたは一層少ない圧力がかけられるようにアッパープレート３２が運動するようにしてもよい。
【００３５】
調理過程が完了すると、コントローラ６２がモータコントローラ６４を制御してリニヤ・アクチュエータ４２がプレートアッセンブリ３０をクッキングポジションから非クッキングポジションに垂直方向に上方向に運動するようにする。アッパープレート３２の片持の重みが、片持梁５２の後部が回転可能なピボット軸受５４と接触するまでアームピボット／ストップヘッド５０間の接触を維持する。この運動により、プレートアッセンブリ３０がアッパープレート移動のこの段階の間にローアープレート２４と常に平行であることが保証される。片持梁５２が回転可能なピボット軸受５４と接触すると、垂直方向運動が回転運動に変わってあるポイントに来るとそこでプレートアッセンブリ３０は予め定めた角度を介して非クッキングポジションにまで回転する。コントローラ６０は音響信号を発して（例えば約２ｓｅｃ）プレートアッセンブリ３０の上方向運動の開始の前に操作員にアッパープレート運動が始まることを警報する。
【００３６】
本発明は、アッパープレート３２が食品７２に接触するとトリガ信号を生成する検出器を使用している。コントローラ６２はこのトリガ信号に応答して制御モータコントローラ６４が位置決め機構４０を制御してアッパープレート３２が初期クッキングポジションに持ってこられるようにする。この時点で、コントローラ６２は調理過程を開始する。検出器はいくつかそれぞれの実施例において示されている。
【００３７】
図４〜図６に関して、検出器７０は位置決め機構４０の片持梁５２に配置されているかまたは取り付けられている。アッパープレート３２が食品に接触することで動きを止めると、コントローラ６２に入力されているクッキングパラメータに基づいてアッパープレートは動きを止めるか続ける。位置決め機構４０は片持梁５２をケーシング３６に向かって垂直方向に下方に動かし続ける。検出器７０は片持梁５２とケーシング３６との間の距離の僅かな変化を検出してトリガ信号生成し、該トリガ信号によりトリガされて位置決め機構４０はアッパープレート３２を初期クッキングポジションに持って行く。
【００３８】
図６を参照するに、固定部材７４は片持梁５２をケーシング３６に固定する。固定部材７４は片持梁５２に、アッパープレート３２が食品に接触するとそれが垂直方向に浮動できるような仕方でマウントされている。従って、アッパープレート３２が食品に接触すると、アッパープレート３２は停止するが、固定部材７４の浮動動作のために片持梁５２は下方向に動き続ける。
【００３９】
この実施例において、検出器７０は有利には近接センサ、例えば Hermetic Switch Inc から市販されているｍｏｄｅｌＰＲＸ＋４４００である。検出器７０は択一的に、マイクロスイッチ、例えば Eaton/ Cutler Hammer から市販されているｍｏｄｅｌＥ４７ＢＭ５３０である。
【００４０】
検出器７０は択一的に、誘電検出並びに圧電検出を含んでいるタッチセンサであってよい。例えばタッチセンサは、Piezo Systems, Inc. から市販されているｍｏｄｅｌＴ１０７−Ａ４Ｅ−０７３であってよい。
【００４１】
検出器７０は択一的に、ソナーセンサであってよい。それはアッパープレート３２、ローアープレート２４または支持構造２２に取り付けられていて、食品に接触するアッパープレート３２が引き起こす音響変化を検出するようになっている。例えばソナーセンサは、Pamaspnic から市販されているｍｏｄｅｌＥＦＲ−ＲＴＱＢ４０ＫＳであってよい。
【００４２】
検出器７０は特定のロケーションで図示されているが、食品７２に接触するアッパープレート３２の検出を行うことができれば、片持梁５２の適当な任意のロケーションに位置決めされていてよい。例えば、この場合のロケーションには、フロント、バックもあり、サイド、ミドルなども含まれている。択一的な実施例において、検出器７０は種々異なったロケーションに複数個の検出器が位置決めされているものであってもよい。
【００４３】
図７を参照するに、検出器８０はドライブモータ５６のモータ電流を監視する。アッパープレート３２が食品７２に接触すると、モータ電流は変化する。検出器８０はこの電流変化を検出しかつモータコントローラ６４に信号報知する。検出器８０はモータコントローラ６４とは別個であってもよいし、モータコントローラ６４に組み込まれていてもよい。組み込まれている場合には、検出器８０はモータコントローラ６４に信号報知する必要はない。検出器８０はモータ電流回路に接続されている電流検出抵抗８２（またはその他の電流測定回路）を含んでいる。検出器８０は電流変化検出回路８４も含んでいる。電流変化検出回路８４はアッパープレート３２が食品７２に接触したことを示している電流変化を検出すると、トリガ信号をモータコントローラ６４に送出する。トリガ信号はコントローラ６２に供給される。
【００４４】
図８を参照するに、検出器９０は応力センサを有している。これは、アッパープレートが水平になった後で、アッパープレート３２の重量がそれが食品７２に載っかったことで低減されるときに、負荷の変化を検出するロケーションにおいて取り付けられている。検出器９０が応力の変化を検出すると、トリガ信号をコントローラ６２に送出する。それからコントローラ６２はモータコントローラ６４を制御して位置決め機構４０がアッパープレート３２を調理位置に持って行く。検出器８０に類似して、検出器９０は検出回路（図示なし）を含んでいてもよく、その場合アッパープレート３２が食品７２に接触していることを示している、監視される応力信号の変化を検出する。
【００４５】
図９を参照するに、検出器１００は送光器１０２および受光器１０４を含んでいる。これらはそれぞれ、クッキング装置２０の後部と前部に位置決めされている。送光器１０２は光ビーム１０６を後部から前部に、アッパープレート３２が食品７２に接触する時点でアッパープレートによって中断されるレベルに送出する。受光器１０４はビーム１０６を受光しかつアッパープレート３２がビーム１０６を中断するときトリガ信号を送出する。コントローラ６２はトリガ信号に基づいてアッパープレート３２をクッキングポジションに持って行く。光ビーム１０６は可視光線でもいいし、赤外線のような非可視光線でもよい。
【００４６】
図１０を参照するに、択一的に、光検出器１１０は片持梁５２にマウントされている。従って、送光器１１２および受光器１１４は、送光器１１２によって放出された光ビームがギャップを横切りかつ受光器１１４によって受光される程度のギャップを以て相互に離間しているようにマウントされている。シャッタ１１６がケーシング３６にマウントされている。アッパープレート３２が食品７２に接触していないとき、シャッタ１１６は送光器１１２と受光器１１４との間のギャップの外側にある。アッパープレート３２が減速または停止すると、それは食品に接触し、一方片持梁５２は、シャッタ１１６がギャップに廃しかつ光ビームを中断するようにケーシング３６に向かって移動し続ける。受光器１１４はこれに応答してトリガ信号をコントローラ６２に送出する。コントローラ６２はトリガ信号に基づいてアッパープレート３２をクッキングポジションに持って行く。
【００４７】
図１１を参照するに、検出器１２０はアッパープレート３２の種々のロケーションに配置されている複数の温度センサ１２２を有している。温度センサ１２２は温度信号をコントローラ６２に送出する。オペレータが調理サイクルをスタートさせると、コントローラ６２は温度センサ信号を監視する。コントローラ６２が、温度センサ信号に基づいて所定の時間範囲で所定の温度低下が生じたことを検出すると、コントローラ６２はモニタコントローラ６４を制御して位置決め機構４０がアッパープレート３２をクッキングポジションに持って行くようにする。
【００４８】
トリガ信号をノイズと区別するためにいずれのタイプの検出器７０，８０，９０，１００，１１０および１２０を持った検出回路でも使用することができることは当業者には自明のことである。
【００４９】
図１２を参照するに、コントローラ６２はバス１３６を介して入出力（Ｉ／Ｏ）モジュール１３２およびメモリ１３４に相互接続されているプロセッサ１３０を含んでいる。メモリ１３４は、ランダムアクセスメモリ（ＲＡＭ）、リードオンリーメモリ（ＲＯＭ）、フラッシュまたはその他のタイプのメモリまたはこれらの組み合わせを含んでいるいずれか適当なメモリであってよい。プロセッサ１３０は、調理過程を含んでいる調理サイクルを実施するプログラムを実行することができるいずれかの適当なプロセッサであってよい。Ｉ／Ｏモジュール１３２はそれぞれの複数の入出力デバイスに対するインタフェースを含んでいる。これらには、ユーザインタフェース６８、パルスエンコーダ６６、検出器７０，８０，９０，１００，１１０または１２０、加熱エレメント２８、モータコントローラ６４およびクッキング装置に含まれているその他のいずれかの入出力デバイスが含まれている。
【００５０】
メモリ１３４は調理サイクルプログラム１４０、品目厚さリスト１４４、調理過程１４６のセットおよび距離カウンタ１４８を含んでいる複数のプログラムおよびパラメータデータを記憶している。調理過程１４６はクッキング装置２０によって使用される調理過程のセットを含んでいる。例えば、調理過程１４６はベーコンに対する調理過程、ハンバーガーに対する調理過程、チキンパイに対する調理過程等を含んでいる。
【００５１】
調理過程は例えば単に調理時間であることもあるし、調理時間の種々の部分に対する温度、調理時間の種々の部分におけるアッパープレートに対する種々の圧力および／またはギャップ距離であってもよい。
【００５２】
調理サイクルプログラム１４０はその時点で図１〜図６のローアープレート２４のグリル面２６にある食品７２を識別する食品識別プログラム１４２を含んでいる。この識別はアッパープレート３２の移動距離に基づいている。つまり、リファレンス点とアッパープレート３２が食品７２と接触するポジションとの間で測定される。クッキング装置２０がまずコールドスタートすると、食品７２をローアープレート２４に置くことができる前に予熱オードが使用される。この予熱モードにおいて、プレートアッセンブリ３０はそれがローアープレート２４のストッパに達しかつ検出器７０の作動下に来るまで下げられる。ローアープレート２４およびアッパープレートに対するヒーターは付けられかつプレート面はそれぞれのプリセット温度まで加熱される。
【００５３】
アッパープレート３２が予熱された後、プレートアッセンブリ３０は非クッキングポジションに持ち上げられてオペレータが食品７２を安全にローアープレート２４に置くことができるようにする。プレートアッセンブリ３０が上がり始めると、片持梁５２は浮動距離の端点に達し、検出器７０は検出された状態が引き金となってトリガ信号を生成し、コントローラ６２はそれをリファレンス点として使用する。リファレンス点はローアープレート２４の表面２６のリファレンス計数値、例えば零を表している。
【００５４】
プレートアッセンブリ３０が上がり続けると、エンコーダパルスはリファレンス点から非クッキングポジションまで計数される。コントローラ６２はリファレンス点から最高レベルのアッパー非クッキングポジションまでの総計数値を記録する。これは予め定めたリファレンス計数値を表している。食品７２がローアープレート２４に置かれた後で、プレートアッセンブリ３０は再び下げられる。アッパープレート３２が食品７２に接触すると、検出器７０はトリガ信号を生成する。ここでコントローラ６２はそれに基づいて食品７２との接触時点におけるエンコーダパルス計数値を記録する。食品厚さは食品接触時点におけるパルス計数値と予め定めたリファレンス計数値との間の差によって表される。
【００５５】
移動距離を測定するのに他の技術を使用することができることは当業者には明らかである。例えば、移動距離は現在トリガされている計数値とリファレンス点値との間で経過する時間によって測定することができる。経過した時間、例えばクロックのような、タイミング発生源からのパルスを計数することによって測定される。この経過時間またはパルスカウントは距離カウンタ１４８に記録される。食品識別プログラム１４２は距離に基づいて食品厚さを識別しかつ識別された食品厚さに基づいて調理過程１４６から食品厚さに適合している食品調理過程を選択する。
【００５６】
ローアープレート２４の表面２６の零リファレンス値を形成する上で説明してきた過程は、予熱モードが実施される都度、すなわちクッキング装置２０のそれぞれのパワーに基づいてセルフキャリブレーション（セルフ較正）を行うものである。このことは、較正がインスタレーションまたはサービスの時にだけ実施されるシステムとは異なっている。このようなシステムでは構成に影響を及ぼす可能性があるドリフトにさらされている。例えば、構成要素の疲労および／またはエージング、装備品の誤った使い方および／または温度、気圧および／または湿度の変化が原因で生じるものである。
【００５７】
図１３を参照するに、調理サイクルプログラム１４０はステップ１７０において調理サイクルをスタートさせることによって始める。ステップ１７０はオペレータが操作開始ボタン６０を操作することに応答して実施される。ステップ１７２においてクッキング装置２０が初期化される。例えば、加熱エレメント２８がスイッチオンされかつその他の準備動作（本発明には関連していない）が実施される。クッキング装置２０が初期化されると、食品識別プログラム１４２が実行される。
【００５８】
ステップ１７４において、距離カウンタ１４８がリファレンス値、例えば零に初期化される。ステップ１７６においてモータ５６がスタートされる。プロセッサ１３０はＩ／Ｏモジュール１３２を介して１つまたは複数のコマンド信号をモータコントローラ６４に送出して、駆動電流がモータに５６に流れるようにする。これにより位置決め機構４０が働いてアッパープレート３２を非クッキングポジションから下げる。ステップ１７８において、検出器（７０，８０，９０，１００，１１０または１２０）からトリガ信号が受信されたかどうかの決定が行われる。ノーならば（Ｎ）、ステップ１８０において、エンコーダパルスが受信されたかどうかが決定される。ノーならば（Ｎ）、制御はステップ１７８に戻る。ステップ１８０においてエンコーダパルスが受信されたことが決定されると（Ｙ）、ステップ１８２において、距離カウンタ１４８がインクリメントされる。距離カウンタ１４８がリファレンス値からデクリメントされるようにしてもよいことは当業者には当然のことである。それから制御はステップ１７８に戻りかつステップ１７８がトリガ信号を検出するまでステップ１７８、１８０および１８２が繰り返される。
【００５９】
ステップ１７８がトリガパルスが到着したことを決定すると（Ｙ）、ステップ１８４において食品調理過程が、トリガパルスの到着の頻度としての距離カウンタ１４８の計数値に基づいて調理過程１４６から選択される。ステップ１８６において選択された調理プログラムが実施される。ステップ１８６が終了すると、ステップ１８８においてアッパープレート３２が非クッキングポジションに戻される。ステップ１８８を実施するために、プロセッサ１３０が１つまたは複数のコマンド信号をＩ／Ｏモジュール１３２を介してモータコントローラ６４に送出して駆動電流がモータ５６に流れるようにする。これにより位置決め機構４０をクッキングポジションから非クッキングポジションに持ち上げる（Ｅｘｉｔへ）。
【００６０】
更に特定すれば、ステップ１８４は距離カウンタ１４８のトリガ計数値を食品厚さリスト１４４に記憶されている食品に対する種々の食品厚さに対する計数値と整合する。すなわち、食品厚さリスト１４４に記憶されているそれぞれの計数値は相応の調理過程の食品の相応する食品厚さを指示可能である。距離カウンタ１４８のトリガ計数値が食品厚さリスト１４４における計数値の２つの間にあるならば、トリガ計数値に近い方の計数値を使用して調理過程１４６から相応の調理過程が選択される。
【００６１】
択一的な実施例において、食品厚さリスト１４４はそれぞれの調理過程の食品に対する厚さ領域を記憶しておく。厚さ領域とは許容偏差をプラスマイナスした上方計数値と下方計数値とによって定められる。トリガ計数値が入っている厚さ領域を使用して調理過程１４６から相応の調理過程が選択される。トリガ計数値が２つの厚さ領域の間にあるとき、近い方の厚さ領域が使用される。例えば、予め定めた厚さは０．５００±０．０６０ｉｎｃｈである。
【００６２】
プログラミング動作の期間に、食品厚さリスト１４４および食品調理過程１４６にはそれぞれの厚さ計数値および食品クッキング装置２０によって調理されるべきである食品に対する調理過程が占めている。厚さ計数値および調理過程は例えば、キーボードを介してまたは別の入力装置（図示なし）を介して有線でかまたは無線接続により入力することができる。
【００６３】
図１４を参照するに、調理サイクルプログラムの択一的な実施例ではトリガ信号に応答してオペレータによって、例えばユーザインタフェース６８から予め選択された調理過程を実施する。調理サイクルプログラム２００はステップ２０２において調理サイクルをスタートさせることによって始まる。ステップ２０２はオペレータが操作開始ボタン６０を操作することに応答して実施される。ステップ２０４において、クッキング装置２０が初期化される。例えば、加熱エレメント２８がスイッチオンされかつその他の準備動作（本発明には関係のない）が実施される。
【００６４】
ステップ２０６において、モータ５６がスタートされる。プロセッサ１３０は１つまたは複数のコマンド信号をＩ／Ｏモジュール１３２を介してモータコントローラ６４に送出して駆動電流がモータ５６に流れるようにする。これにより位置決め機構４０が働いてアッパープレート３２を非クッキングポジションから下げる。ステップ２０８において、検出器（７０，８０，９０，１００，１１０または１２０）からトリガ信号が受信されたかどうかの決定が行われる。ノーならば（Ｎ）、ステップ２０８が繰り返される。ステップ２０８が、トリガ信号が受信されたことを決定すると、ステップ２０８において、予め選択された調理過程が実施される。予め選択された調理過程が終了すると、ステップ２１２においてアッパープレート３２は非クッキングポジションに戻される。プロセッサ１３０は１つまたは複数のコマンド信号をＩ／Ｏモジュール１３２を介してモータコントローラ６４に送出して駆動電流がモータ５６に流れるようにする。これにより位置決め機構４０がアッパープレート３２をクッキングポジションから非クッキングポジションに持ち上げる（Ｅｘｉｔへ）。
【００６５】
図１５を参照するに、セイフティフィーチャープログラム３００は、アッパープレート３２が降下しているときに妨害物または邪魔なものが検出されたとしたら、アッパープレート３２を非クッキングポジションに戻すために、アッパープレート３２を非クッキングポジションプレートからローアープレート２４の方向に下げている間に作動する。妨害物は、例えば、腕または手のような操作員のボディー部分、またはポット、皿状の道具またはその他の物体のような、食品７２とは別の物理的な物体である可能性が高い。妨害物の存在は検出器７０からの入力またはトリガ信号に基づいてコントローラ６２によって決定される。
【００６６】
調理過程が始められると、アッパープレート３２はローアープレート２４に向かって下方に移動する。一番高いところまたは非クッキングポジションと調理表面２６から上方の予め定めた距離のところとの間であるとき、コントローラ６２が検出器からトリガ信号を受信すると、コントローラ６２はアッパープレート３２を停止し、アッパープレートの動きの方向を反転しかつアッパープレートを最も高いポジションに戻す。予め定めた距離は調理される食品より大きい。例えば、１つの実施例において予め定めた距離は１．３７５ｉｎｃｈにセットされた。検出器は例えば検出器７０，８０，９０，１００のいずれかまたは他の適当な検出器であってよい。以下の説明の目的のために、検出器は検出器７０であると仮定する。
【００６７】
セイフティフィーチャープログラム３００がコントローラ６２によって実行されかつステップ３０２において調理過程が実施されたかどうかを判定する。ノーであれば、プログラム３００は調理過程がスタートするのを待つ。イエスであれば、ステップ３０４において、コントローラ６２は検出器７０からトリガ信号が出ているかどうかを判定する。ノーであれば、ステップ３０４においてトリガ信号が検出されるまで、ステップ３０２および３０４が繰り返される。イエスであれば、ステップ３０６においてコントローラ６２は現在の計数値が、調理表面２６の上方の予め定めた距離を表している予め定めた値より大きいかどうかを判定する。すなわち、トリガ信号は調理品７２の上方で生じかつ、それ故に、妨害物によって生成された。イエスであれば、コントローラ６２はステップ３０８でアッパープレート３２の下方への移動を停止しかつそれが最も上のポジションに戻るまでこのアッパープレートを上方向へ動かす。
【００６８】
ステップ３０６において現在の計数値が予め定めた値より大きくないことが判定されると、コントローラ６２はステップ３１０において調理過程を続行する。ステップ３１２において、コントローラ６２はアッパープレート３２を調理過程が終了したときに、その最も上のポジションに戻す。
【００６９】
図１６を参照するに、ローアープレート２４のあるゾーンはマークＸを有している。このマークＸは、プレート２４の下表面２７のプローブ容器に固定されているかまたは挿入されている温度プローブ３２０のロケーションを示している。温度プローブ３２０は電気的なコネクション３２２を介してコントローラ６２に接続されている。
【００７０】
本発明の特徴は、要員が手動で温度値を入力することなく、表面２４の自動的な温度較正を行えることである。コントローラ６２は温度較正モードを備えている。このモードは、例えば、ユーザインタフェース６８を使用する操作員によって選択可能である。温度較正モードが選択されると、操作員は温度プローブ３２６を、温度プローブ３２０のロケーションに相応しているマークＸの近傍または近接ゾーン（例えば上方）に置く。１つの温度プローブ３２０だけが示されているが、当業者には、ローアープレート２４の種々異なったロケーションに１つまたは複数の温度プローブ分散配置することができることは明らかなことである。この種の温度プローブ３２０はそれぞれ、相応の目に見えるマークＸによって識別されるようにするとよい。
【００７１】
操作員は、温度プローブ３２６に接続されている電気的なコネクション３２４をコントローラ６２に差し込む。コントローラ６２は温度プローブ３２６によって検出された表面２６の温度値を温度プローブ３２０から受信された温度値に対して比較しかつ、ユーザインタフェース６８に温度値を手動で入力することなしに、遠隔温度プローブ３２６からの値を較正温度プローブ３２０に自動的に整合する。例えば、コントローラ６２は温度プローブ３２６によって検出された温度を相応する温度プローブ３２０によって検出された温度と比較する。コントローラ６２は２つの温度間の差をオフセットとして使用して、温度プローブ３２０によって実時点で検出された温度に基づいて表面温度を判定する。
【００７２】
本発明は負荷感度（ロード・センシティビティ）の特徴も有していて、コントローラ６２が調理サイクルの温度プロフィールを評価し、かつこのプロフィールから、調理された食品７２の量を判定し、かつグリル面２６での食品７２の量に基づいて調理時間を調整することができる。１つの実施例において、負荷感度は３つのカテゴリーに分けられている。すなわち、最小の調理時間を要する軽負荷、規定時間を要する中間負荷、および最大の時間を要する全負荷もしくは重負荷。例として、操作員は１つの食品（例えばハンバーガーパティ）を下のグリル面２６に置きかつ相応の操作ボタン６０または６１を押圧することによって調理サイクルを開始する。アッパープレート３２はそれが食品７２に接触するまで降下する。食品７２が接触するとき、アッパープレート３２は停止しかつリフト機構が下降し続けてスイッチ（検出器７０，８０，１１０または１２０）を軽くトリップる。このことは、アッパープレート３２が食品７２上に停止していることを示している。それからコントローラ６２は食品厚さを突き止めかつ食品厚さに基づいて調理サイクルタイマーを起動する。食品７２が調理されると、グリルプレート２４の表面２６およびアッパープレート３２の表面３４の温度は、食品が表面２６および３４より冷たいことに基づいて低下していく。表面温度が低下すると、コントローラ６２は調理過程の期間、表面２６および／または３４の温度降下および時間に関する回復速度（リカバリレート）を監視する。調理サイクルの終了直前に、コントローラ６２は表面（２６および／または３４）温度降下の速度および量（大きさ）および回復速度を突き止める。このデータを使用して、コントローラ６２はグリル上には軽負荷があることを突き止めかつ調理時間を僅かに短縮するので、食品７２が調理されすぎることはない。
【００７３】
操作員がグリル面に最大量の食品７２を置きかつ調理サイクルをスタートさせた場合、グリル面の「温度カーブ」は更に降下しかつ比較的緩慢な速度で回復する。調理サイクルの終了近くで、コントローラ６２はこのデータを評価し、かつ調理時間を延長して、食品７２の全負荷に対して低減されている熱入力が補償されるようにする。
【００７４】
１つよりは多くかつ全負荷よりは少ない数の食品が下のグリル面２６に置かれかつ調理サイクルが開始される場合、コントローラ６２は温度降下および回復速度に対する「温度カーブ」を監視する。
【００７５】
図１７を参照するに、コントローラ６２によって負荷感度プログラム３５０が実行されている。ステップ３５２において、調理サイクルタイマーが食品の厚さに基づいて認識された食品のデフォルトまたは規定時間に初期設定される。ステップ３５４で、コントローラ６２は当該食品に対する調理過程を実行する。ステップ３５６において、コントローラ６２は現在の調理サイクルタイマー値が予め定めた負荷決定時間に等しいかどうかを判定する。この予め定めた時間は有利にはデフォルト時間の終了近傍である。ノーであれば、ステップ３５２で現在のサイクルタイマー値が予め定めた負荷決定時間に等しいものと判断されるまで、ステップ３５４および３５６が繰り返される。イエスであれば、ステップ３５８で、コントローラ６２は、ローアープレート２４およびアッパープレート３２の表面２６および／または３４の温度降下および回復速度に基づいて負荷感度（軽、重またはその間）を判定する。軽であれば、デフォルト時間はステップ３６０において予め定めた最小時間にリセットされる。重であれば、デフォルト時間はステップ３６２において予め定めた最大時間にリセットされる。その間であれば、デフォルト時間はステップ３６４において維持される。予め定めた最小および最大時間は、当該食品に対する調理サイクルを実行しかつ軽、重およびその間の負荷に対する調理サイクル時間を記録することによって求めることができる。
【００７６】
デフォルトまたは規定時間を中間の時間に対応付けることは選択事項でありかつ択一的に、プログラム過程の調整により軽負荷感度か重負荷感度に対応するようにもできることは当業者には自明のことである。また、負荷感度は所望ならば、３つのカテゴリーより多くまたは少なく分けることもできる。
【００７７】
このように本発明を有利な形態を参照して説明してきたが、特許請求の範囲に定められている本発明の精神および本発明の範囲を逸脱しない限り種々の変形および変更が可能であることは勿論のことである。
【図面の簡単な説明】
【００７８】
【図１】本発明の２表面型クッキング装置の１つの実施例の斜視図
【図２】図１の２表面型クッキング装置の側面図
【図３】図１の２表面型クッキング装置の背面図
【図４】図１の２表面型クッキング装置のアッパープレートアッセンブリを上面から見た図
【図５】図４のライン５−５に沿って切断して見た断面図
【図６】図５の部分Ｂの詳細図
【図７】本発明の２表面型クッキング装置の検出器の択一的な実施例のブロック線図
【図８】検出器の別の実施例を表している、図１の２表面型クッキング装置の部分の側面図
【図９】検出器の別の実施例を表している、図１の２表面型クッキング装置の部分の側面図
【図１０】検出器の別の実施例を表している、図１の２表面型クッキング装置の部分の側面図
【図１１】検出器の別の実施例を表している、図１の２表面型クッキング装置の部分の側面図
【図１２】図１のクッキング装置のコントローラの有利な実施例のブロック線図
【図１３】図１２のコントローラの食品識別プログラムのフローチャート図
【図１４】図１のクッキング装置により使用することができるプログラムの別の実施形態のフローチャート図
【図１５】図１のクッキング装置により使用することができるセイフティプログラムのフローチャート図
【図１６】図１のクッキング装置のためにセットアップされたオート式較正を説明する図
【図１７】図１のクッキング装置を用いて使用することができる負荷感度プログラムのフローチャート図
【図１】
2008541988.tif 000003
【図２】
2008541988.tif 000004
【図３】
2008541988.tif 000005
【図４】
2008541988.tif 000006
【図５】
2008541988.tif 000007
【図６】
2008541988.tif 000008
【図７】
2008541988.tif 000009
【図８】
2008541988.tif 000010
【図９】
2008541988.tif 000011
【図１０】
2008541988.tif 000012
【図１１】
2008541988.tif 000013
【図１２】
2008541988.tif 000014
【図１３】
2008541988.tif 000015
【図１４】
2008541988.tif 000016
【図１５】
2008541988.tif 000017
【図１６】
2008541988.tif 000018
【図１７】
2008541988.tif 000019
【国際調査報告】
2008541988.tif 000020